(57)【要約】      （修正有）【課題】ウィットに富んだ態様で自己の感情や気持ちを表明できるようにし、それを利用した際の相手や周囲の反応を楽しめるほか、様々の蓋体やシールを選択し、また、オリジナルなシールを作成して楽しむことのできる蓋状玩具を提供する。【解決手段】動物・菌類・植物など生物の特徴的な形状を象った蓋体１と、喜怒哀楽の感情や気持ちを表現する表情が印刷されたシール５とから成り、外周３にシール５を貼付した蓋体１を飲料ボトルのキャップ上に被せるように載置する。【選択図】図３
0003213585.tif 000002
【実用新案登録請求の範囲】
【請求項１】
飲料ボトル等のキャップ上に被せるように載置される蓋体と、該蓋体の外周に貼付されるシールとから成る蓋状玩具であって、前記蓋体は前記飲料ボトル等のキャップの円周よりも幾分広い口径を有しており、その一部には動物・菌類・植物など生物の特徴的な形状が象られていることに加え、前記蓋体の外周に貼付されるシールには喜怒哀楽の表情が印刷されていることを特徴とする蓋状玩具。
【請求項２】
前記蓋体の外周に貼付される前記シールは、自ら撮影した愛玩動物等の表情データや、自ら作成した表情データ、若しくは、ダウンロードできる様々の表情データを、パソコン用ソフトを介してシール紙上に印刷したものであることを特徴とする請求項１に記載の蓋状玩具。
【請求項３】
前記蓋体はプラスチック製樹脂やシリコン製樹脂等の可撓性素材から成り、前記飲料ボトル等のキャップの開栓を容易にするオープナーとしての機能を有することを特徴とする請求項１又は請求項２に記載の蓋状玩具。
【考案の詳細な説明】
【技術分野】
【０００１】
本考案は、職場や学校又は家庭内で、目上や先輩にはっきりとした言葉で感情を表明できない場合に、ウィットに富んだ態様で自己の感情を表明できるようにした蓋状玩具である。
【背景技術】
【０００２】
従来、自己の感情や気持ちを表明する場合、面と向かって伝えるか、電話で伝えるか、又は、メールや手紙で伝えるのが一般的である。しかしながら、伝える感情や気持ちが相手にとって好ましい内容であれば気を遣わずに伝えられるのであるが、好ましくない内容である場合、相手の意に反する内容の場合、それも相手が目上や先輩である場合は、面と向かって伝えることはもちろん、電話やメールで伝えるのを憚れることが少なくない。そのような場面で気軽に自己の感情や気持ちを表明できる手段があれば良いのであるが、残念ながらそのような手段はないため、その後の良好な関係を維持するため、ストレスを溜めながらも自己の感情や気持ちを抑え込んでいる人が多いのが現状である。
【０００３】
ペットボトル等のボトルキャップ部に装着される玩具としては、実用新案登録第３０８６４９８号の姿勢変化玩具があるが、これは磁石などの磁性体を近づけることで蓋上の人形が姿勢を変化させるというもので、自己の感情をウィットに富んだ態様で表明する本考案とは構成はもとより、技術思想も全く相違するものである。
【０００４】
また、飲料ボトル等のキャップ上に被せることでキャップオープナーとしても機能する実用新案登録第３０８６６３１号のキャップホルダーがあり、その裏面に装飾ペイントを施すことが記されているが、これも同様に、自己の感情をウィットに富んだ態様で表明できるものではなく、玩具的な要素が欠落しており、本考案とは構成も技術思想も相違するものである。
【先行技術文献】
【特許文献】
【０００５】
【特許文献１】実用新案登録第３０８６４９８号公報
【特許文献２】実用新案登録第３０８６６３１号公報
【考案の概要】
【考案が解決しようとする課題】
【０００６】
そこで、目上や先輩に対してでも、相手に不快感を抱かせたり、怒りを感じさせることなく、ウィットに富んだ態様で自己の感情や気持ちを表明できる玩具媒体として開発したのが本考案である。
【課題を解決するための手段】
【０００７】
本考案は、如上の課題を解決するため、飲料ボトル等のキャップ上に被せるように載置される蓋体と、該蓋体の外周に貼付されるシールとから成る蓋状玩具であって、前記蓋体は前記飲料ボトル等のキャップの円周よりも幾分広い口径を有しており、その一部には動物・菌類・植物など生物の特徴的な形状が象られていることに加え、前記蓋体の外周に貼付されるシールには喜怒哀楽の表情が印刷されている蓋状玩具（請求項１）を提案する。
【０００８】
本考案ではまた、前記シール状の表情に個性や趣味性を持たせるため、請求項１に記載の考案であって、前記蓋体の外周に貼付される前記シールは、自ら撮影した愛玩動物等の表情データや、自ら作成した表情データ、若しくは、ダウンロードできる様々の表情データを、パソコン用ソフトを介してシール紙上に印刷したものである蓋状玩具（請求項２）も提案する。
【０００９】
本考案は更に、玩具としての機能のほか、実用性も兼ね備えたものとするため、請求項１又は請求項２に記載の考案であって、前記蓋体はプラスチック製樹脂やシリコン製樹脂等の可撓性素材から成り、前記飲料ボトル等のキャップの開栓を容易にするオープナーとしての機能を有する蓋状玩具（請求項３）についても提案する。
【考案の効果】
【００１０】
請求項１に係る本考案では、飲料ボトル等のキャップ上に被せるように載置される蓋体が動物や菌類又は植物など生物の特徴的な形状が象られているため、自分に合った、又は、自分が好みとする形状の蓋体を選択する楽しみがあり、また、喜怒哀楽を表現した様々の表情のシールから、その時々の感情や気持ちに合致したシールを選択して貼付する楽しみもある。そうして、選択したシールを貼付した所望の蓋体を飲料ボトル等のキャップに被せ、デスクやテーブルに置いておくことで、その時の自己の感情や気持ちを言語で発することなく、ウィットに富んだ態様でこれを見た相手に伝達・表明できるため、円満な人間関係の維持に資することができる。
【００１１】
また、請求項２に係る本考案では、シールに印刷される表情に、自身が撮影した愛玩動物の表情データや、自ら描き下ろすなどして作成した表情データ、又は、ダウンロードできる様々の表情データを用いることができるため、より個性や趣味性をもったオリジナルな表情のシールを作成・貼付して楽しむことができる。
【００１２】
加えて、請求項３に記載の本考案では、蓋体がプラスチック樹脂製など可撓性素材であるため、本考案の蓋体を飲料ボトル等のキャップ上に被せるように載置した状態で強く握って回すことで、容易にキャップを開栓することができるため、キャップオープナーとしても利用することができる。
【図面の簡単な説明】
【００１３】
【図１】本考案の蓋状玩具に係る蓋体の実施形態を示す図面である。
【図２】本考案の蓋状玩具に係るシールの実施形態を示す図面である。
【図３】本考案においてシールを蓋体に貼付する流れを示す図面である。
【図４】本考案においてシールを蓋体に貼付した状態を示す図面である。
【図５】本考案においてシールを貼付した蓋体を飲料ボトルのキャップ上に載置した状態を示す図面である。
【図６】本考案において自ら撮影した表情データを用いてオリジナルなシールを作成する流れを示す図面である。
【図７】本考案において作成したオリジナルなシールを蓋体に貼付した状態を示す図面である。
【考案を実施するための最良の形態】
【００１４】
以下、本考案の望ましい実施形態を、図面に基づいて説明する。
【実施例１】
【００１５】
図１は本考案の蓋状玩具に係る蓋体の実施形態を示す図面であり、１は蓋体、２は動物の特徴を象った耳、３は蓋体の外周である。図２は本考案の蓋状玩具に係るシールの実施形態を示す図面であり、４はシール台紙、５はシールである。図３は本考案においてシールを蓋体に貼付する流れを示す図面、図４は本考案においてシールを蓋体に貼付した状態を示す図面、図５は本考案においてシールを貼付した蓋体を飲料ボトルのキャップ上に載置した状態を示す図面であり、６は飲料ボトル、７はキャップである。
【００１６】
本考案に係る蓋体１は、飲料ボトル等のキャップ上に被せるように載置されるため、そのキャップの円周より幾分広い口径を有しており、その一部には動物・菌類・植物など生物の特徴的な形状が象られているが、本実施例では図１に示すとおり、生物として猫や犬などの動物を採用し、その一部に象られる特徴的な形状として耳の部分を採用している。そのため、図示したように、蓋体１の上部又は側部には「アメリカンショートヘア」や「チワワ」や「トイプードル」などに特徴的な形状の耳２が象られている。そうして、蓋体１の正面に位置する外周３は、シールを貼付するためのスペースとなる。なお、生物の特徴的な形状として、本実施例では猫や犬の耳を採用しているが、耳以外の特徴的な形状を象っても良いことは言うまでもない。また、図面では濃色と淡色の蓋体１が記されているが、色彩については限定されず、例えば、生物特有の色彩として、より現実味が増すようにしても良い。
【００１７】
本考案に係るシール５は、図２に示すとおり、喜怒哀楽を表現した様々の表情が印刷されており、図示した実施例では「胸キュン」や「なーんてね」「まあまあ」などの表情を印刷した複数のシール５がシール台紙４上に貼られているが、その種類や数はもとより、シール５の提供手段についても図示したものに限定されない。
【００１８】
本実施例に係る蓋体１とシール５は如上のとおりであるが、図３に示すように、その時々の自身の感情や気持ちに応じて所望とする表情のシール５を選択し、シール台紙４からそれを剥がし取り（図中Ａ）、蓋体１の正面に位置する外周３に剥がし取ったシール５を貼付する（図中Ｂ）ことで、本考案に係る蓋状玩具が完成する。なお、シール５を貼付する蓋体１も、特徴的な耳２の形状を象った猫種や犬種の中から、自身に合ったものや好みとするものを選択し、その外周３に選択した前記シール５を貼付することになる。
【００１９】
このようにして完成した本考案に係る蓋状玩具は、図４に示すように、猫種や犬種に応じて様々な表情のバリエーションが存在し、図示したものは「アメリカンショートヘア」と「スコティッシュフォールド」「チワワ」「ボストンテリア」の４種であるが、異なる猫種や犬種、更には菌類や植物から特徴的な形状を象った蓋体１を選択し、更に、所望の表情のシールを選択して貼付できるため、感情や気持ちを表現するに当たり、その媒体となる蓋体やシールを選択する楽しさが味わえる。
【００２０】
かくして、所望の蓋体１を選択し、その外周３に選択した所望のシール５を貼付することで、自身の感情や気持ちを表現する蓋状玩具が完成したら、図５に示すとおり、その蓋体１を飲料ボトル６のキャップ７上に被せるように載置し、いよいよ相手や周囲に自身の感情や気持ちを表明することになる。その表明の仕方は、完成した蓋体１が載置された飲料ボトルを手に持って相手に向けることで、直接的に感情や気持ちを表明したり、周囲が気付くようデスクやテーブルの横に何気なく置いておくことで、間接的に感情や気持ちを表明するなど、手段を問わないが、面と向かって伝えたり、電話やメールで伝えるのが憚れるような状況では、ウィットに富んだ感情表明となること請け合いである。その結果、それを見た相手や周囲の感情が和らぎ、職場や家庭・教室に笑いすら招くことになり、良好な人間関係の維持に資するものと思われる。
【実施例２】
【００２１】
図６は本考案において自ら撮影した表情データを用いてオリジナルなシールを作成する流れを示す図面であり、８はスマートフォン、９はパーソナルコンピュータ、１０はプリンター、１１は印刷済みシール紙である。図７は本考案において作成したオリジナルなシールを蓋体に貼付した状態を示す図面であり、１２は愛玩動物、１３は愛玩動物の表情データを用いたシールを貼付した蓋体である。
【００２２】
本考案に係る蓋状玩具は、前記したものに加え、自ら撮影した愛玩動物等の表情データや、自ら作成した表情データ、若しくは、ダウンロードできる様々の表情データを用いたオリジナルなシールを作成・貼付することもできる。自ら撮影した愛玩動物等の表情データを用いる実施形態では、図６に示すように、自身のスマートフォン８を用いて愛玩動物を撮影したら、その画像データを編集・加工ソフトがインストールされたパーソナルコンピュータ９に送り、そこで編集・加工が完了した表情データをプリンター１０にアウトプットして印刷することになる。印刷されたシール紙１１が排出されたら、それを蓋体１の外周３に合致するサイズにカットし、貼付することで、オリジナルなシールが完成する。なお、図示した実施例では、画像データの取得手段としてスマートフォンを採用しているが、デジタルカメラは勿論のこと、カメラ付きでありさえすれば携帯電話でもＰＨＳでも良い。また、表情データとして利用できるのは撮影した画像データだけでなく、自ら描き下ろして作成した表情データや、オンラインでダウンロード可能に提供されている表情データを利用しても構わない。
【００２３】
このようにして、愛玩動物１２の表情データを利用することで作成したオリジナルなシールを作成し、それを蓋体１の外周３に貼付したのが、図７に示す蓋体１３である。かくして、愛玩動物１２の画像データから抽出された表情データのシールが貼付されたことで、より個性や趣味性のある蓋状玩具となっており、自身が飼育する愛玩動物であれば愛着が増すことも想像に難くない。
【実施例３】
【００２４】
本考案の蓋状玩具に係る蓋体１は、プラスチック樹脂製やシリコン樹脂製などの可撓性素材とすることが可能であり、図５を用いて説明すると、その場合は蓋体１を飲料ボトル６のキャップ７上に被せるように載置した状態で、飲料ボトル６を動かないようにし、蓋体１を強く握って回転させることで、容易にキャップを開栓することができるため、オープナーとしても利用することができる。
【産業上の利用可能性】
【００２５】
本考案に係る蓋状玩具は、職場や家庭・教室などでウィットに富んだ態様で自身の感情や気持ちを表明でき、表明した場面だけでなく、蓋体やシールを選択するなかで作成を楽しめるほか、オリジナルのシールも作成できるため、玩具の分野で利用可能なほか、飲料ボトルのキャップのオープナーとしての機能もあるため、台所用品や日用品の分野でも利用することが可能である。
【符号の説明】
【００２６】
１    蓋体
２    耳
３    外周
４    シール台紙
５    シール
６    飲料ボトル
７    キャップ
８    スマートフォン
９    パーソナルコンピュータ
１０    プリンター
１１    印刷済みシール紙
１２    愛玩動物
１３    オリジナルシールを貼付した蓋体
【図１】
0003213585.tif 000003
【図２】
0003213585.tif 000004
【図３】
0003213585.tif 000005
【図４】
0003213585.tif 000006
【図５】
0003213585.tif 000007
【図６】
0003213585.tif 000008
【図７】
0003213585.tif 000009